(57)【要約】【目的】外枠の外周部は衝撃吸収機能をそなえ、外枠の内周部には関連部品を装着するための雌ネジを切ることを可能とするフィルターを提供する。【構成】デジタルカメラ、デジタルビデオカメラなどのレンズ鏡筒の前面に装着されるフィルターで、フィルターレンズとフィルターレンズを保持するレンズ保持枠とレンズ保持枠の外部側に配設された外枠からなるものであって、外枠を複数層の積層合成樹脂により構成し、外枠の外周部に位置する合成樹脂層をショアＡ４０〜９０の硬度を有する合成樹脂、外枠の内周部に位置する合成樹脂層をロックウエル硬度（ＨＲ）がＲ４０〜Ｒ１３０の合成樹脂で構成したことを特徴とする。【選択図】図１
2019086585.tif 000002
【特許請求の範囲】
【請求項１】
デジタルカメラ、デジタルビデオカメラなどのレンズ鏡筒の前面に装着されるフィルターで、フィルターレンズとフィルターレンズを保持するレンズ保持枠とレンズ保持枠の外部側に配設された外枠からなるものであって、外枠を複数層の積層合成樹脂により構成し、外枠の外周部に位置する合成樹脂層をショアＡ４０〜９０の硬度を有する合成樹脂、外枠の内周部に位置する合成樹脂層をロックウエル硬度（ＨＲ）がＲ４０〜Ｒ１３０の合成樹脂で構成したことを特徴とするフィルター。
【請求項２】
前記レンズ保持枠をアルミニウム（アルミニウム合金を含む）で構成したことを特徴とずる請求項１に記載のフィルター。
【発明の詳細な説明】
【技術分野】
【０００１】
本発明はデジタルカメラ、デジタルビデオカメラなどのレンズ鏡筒の前面に装着されるフィルターに関する。
【背景技術】
【０００２】
従来、デジタルカメラなどにおいては、レンズ前面に汚れやキズが生じるのを防止したり、光透過率を低減する（減光する）などの目的で、レンズ鏡筒の前面にフィルターが装着される。一般に、フィルターは、丸枠フィルターの場合には、円環状のフィルター枠に円板状のフィルターレンズを嵌合、固定して構成され、またはフィルター枠とフィルターレンズを接着剤などで固着一体として構成される。フィルター枠には、通常、内側（裏側）にレンズ鏡筒に装着するための雄ネジ部が形成され、外側（表側）には他の関連部品を装着するための雌ネジ部が形成されている。
【０００３】
フィルターは、フィルターレンズにアルミニウムなどの金属材料や繊維強化プラスチックなどからなる高分子材料を成形加工して製作されたレンズを保持するためのフィルター枠を取り付けて構成されているが、フィルターを装着したカメラを使用中にフィルターを何かにぶつけてレンズを傷めてしまうことがあり、フィルターをぶつけた時の衝撃を吸収してレンズが傷まないようにするために、レンズ保持するフィルター枠の外周部に衝撃緩衝機能を有する柔らかいエラストマーからなる外枠を設けたものが提案されている。
【０００４】
上記提案のものは、カメラの使用中にフィルターレンズを保護するために有効な手法であるが、フィルター枠の外周部に柔らかいエラストマーからなる外枠を設けた場合、柔らかい外枠に関連部品を装着するための雌ネジを切ることができないため、アルミニウムなどの金属からなるレンズを保持するためのフィルター枠を外側（表側）に延伸させ、この金属製のレンズ保持枠に雌ネジ部を形成しなければならず金属部分が長くなり、材料コスト面で不利となるなど必ずしも満足すべきものではない。  
【先行技術文献】
【特許文献】
【０００５】
【特許文献１】特許第５４５６８７２号公報
【発明の概要】
【発明が解決しようとする課題】
【０００６】
本発明は、フィルターにおける上記の問題点を改善するためになされたものであり、その目的は、フィルター枠のうち外枠を複数層の積層合成樹脂により構成し、外枠の外周部および内周部に位置する合成樹脂層をそれぞれ特定の硬度を有する合成樹脂で構成することにより、外枠の外周部は衝撃吸収機能をそなえ、外枠の内周部には関連部品を装着するための雌ネジを切ることを可能とするフィルターを提供することにある。
【課題を解決するための手段】
【０００７】
上記の目的を達成するための請求項１によるフィルターは、デジタルカメラ、デジタルビデオカメラなどのレンズ鏡筒の前面に装着されるフィルターで、フィルターレンズとフィルターレンズを保持するレンズ保持枠とレンズ保持枠の外部側に配設された外枠からなるものであって、外枠を複数層の積層合成樹脂により構成し、外枠の外周部に位置する合成樹脂層をショアＡ４０〜９０の硬度を有する合成樹脂、外枠の内周部に位置する合成樹脂層をロックウエル硬度（ＨＲ）がＲ４０〜Ｒ１３０の合成樹脂で構成したことを特徴とする。
【０００８】
請求項２によるフィルターは、請求項１において、前記レンズ保持枠をアルミニウム（アルミニウム合金を含む、以下同じ）で構成したことを特徴とずる。
【発明の効果】
【０００９】
本発明に従ってフィルター枠のうち外枠を複数層の積層合成樹脂により構成し、外枠の外周部に位置する合成樹脂層をショアＡ４０〜９０の硬度を有する合成樹脂、外枠の内周部に位置する合成樹脂層をロックウエル硬度（ＨＲ）がＲ４０〜Ｒ１３０の合成樹脂で構成することにより以下の効果が達成される。
（１）フィルターを装着したレンズの先端部分を何かにぶつけても、フィルターが衝撃を吸収するため、レンズを損傷することがない。
（２）フィルターを装着したレンズの先端部分を他人の器物、例えば、車のドアなどに当てて車を傷つけてしまうような器物損傷事故を防止できる。
（３）外枠の内周部に関連部品を装着するための雌ネジを切ることが可能となるため、金属部分を減らすことができるから、材料コスト面で有利なものとすることができる。
【００１０】
（４）フィルター枠のうちレンズ保持枠をアルミニウムで作製すれば、カメラレンズの光軸とフィルター面の直角度が正確にでるため、高画素デジタルカメラに対応することができる。
【図面の簡単な説明】
【００１１】
【図１】フィルターレンズとレンズ保持枠とレンズ保持枠の外部側に配設された複数層の積層合成樹脂からなる外枠から構成される本発明によるフィルターの一実施例の要部断面図であり、実施形態１を示す。
【図２】同じく、他の実施例の要部断面図であり、実施形態２を示す。
【発明を実施するための形態】
【００１２】
以下、本発明のフィルターを図面に基づいて説明する。本発明によるフィルターはデジタルカメラ、デジタルビデオカメラなど撮像機器のレンズ鏡筒の前面に装着されるフィルターであり、特に円板状のフィルターレンズが取り付けられる丸枠フィルターとして好適に使用される。
【００１３】
本発明によるフィルターの実施形態１は、図１〜２に示すように、フィルターレンズ３とフィルターレンズ３を保持するレンズ保持枠２とレンズ保持枠２の外部側に位置する外枠１からなる。その製作は、例えば、フィルターレンズ３とアルミニウムなどからなるレンズ保持枠２とを互いに嵌合して組み立てた後、これに外枠１を一体成形で嵌め合わせることにより行われる。フィルターレンズ３がレンズ保持枠２にリン青銅などから成形されたレンズ押さえばね環４を介して保持されていることが望ましい。７は内側（裏側）（図１〜２においては下側）にレンズ鏡筒に装着するためレンズ保持枠２に形成した雄ネジ部、８は外側（表側）（図１〜２においては上側）に他の関連部品を装着するため外枠１に形成した雌ネジ部である。
【００１４】
本発明の特徴とするところは、外枠１を複数層（２層以上）の積層合成樹脂により構成し、外枠の外周部に位置する合成樹脂層５をショアＡ４０〜９０の硬度を有する合成樹脂、外枠の内周部に位置する合成樹脂層６をロックウエル硬度（ＨＲ）がＲ４０〜Ｒ１３０の合成樹脂で構成することにある。外枠１の外周部および内周部に位置する合成樹脂層５、６をそれぞれ特定の硬度を有する合成樹脂で構成することにより、外枠１の外周部は何かにぶつけてもレンズを損傷することがない衝撃吸収機能をそなえるとともに、図１〜２に示すように、外枠１の内周部に位置する合成樹脂層６に関連部品を装着するための雌ネジを切ることが可能となるため、つぎのような効果を期待することができる。
【００１５】
すなわち、外枠１の全体を柔らかいエラストマーにより構成した場合には、外枠にネジを切ることができないため、アルミニウムなどから形成されたレンズ保持枠２を外側（表側）（図１〜２においては上側）に延伸させ、この金属製のレンズ保持枠２に雌ネジ部を形成しなければならないから金属部分が長くなり、材料コスト面で不利となるが、外枠１に関連部品を装着するための雌ネジを切ることができれば、金属部分を減らすことができるから、材料コスト面で有利なものとすることができる。
【００１６】
外枠１の外周部に位置する合成樹脂層５の硬度ショアＡとはゴムの硬度表記として用いられる。ＪＩＳ規格（ＪＩＳ  Ｋ  ６２５３）デュロメータータイプＡで測定した値で、規定した条件下で試験片に規定の押針を押し込んだ時の押針の押し込み深さから求められる。
【００１７】
外枠１の外周部に位置する合成樹脂層５を構成するものとしては、合成ゴムなどの熱硬化性エラストマー、シリコーンなどの熱硬化性樹脂系エラストマーや、熱可塑性エラストマーなどが適用できる。硬度が大きくなると衝撃吸収機能が失われる。衝撃吸収機能を付与するためには、硬度の上限をショアＡ９０、より好ましくはショアＡ８０とするのがよい。
【００１８】
外枠１の内周部に位置する合成樹脂層６の硬さを示すロックウエル硬度（ＨＲ）は、鋼球などの圧子を特定の荷重で押し込むことにより硬さを測定する手法で、Ｒスケールは、１／２インチの鋼球を６０ｋｇの試験荷重で押し込み、窪みの深さを読み取って求めるものである。
【００１９】
外枠１の内周部に位置する合成樹脂層６は、関連部品を装着するための雌ネジを切ることが可能なもので、熱硬化性樹脂、熱可塑性樹脂に代表される合成樹脂から構成される。エンジニアリングプラスチック、スーパーエンジニアリングプラスチックも含まれる。複数層の積層合成樹脂の製造は、接着剤によるもの、その他公知の手法により行うことができる。
【００２０】
前記実施形態１および２において、レンズ保持枠２は、アルミニウム、黄銅などの銅合金のような金属材料や繊維強化プラスチックなどからなる高分子材料を成形加工して製作することができるが、アルミニウムで作製するのが好ましく、アルミニウムで作製することにより、カメラレンズの光軸とフィルター面の直角度が正確にでるため、高画素デジタルカメラに対応することができる。
【符号の説明】
【００２１】
１  外枠
２  レンズ保持枠
３  フィルターレンズ
４  レンズ押さえばね環
５  外枠１の外周部に位置する合成樹脂層
６  外枠１の内周部に位置する合成樹脂層
７  レンズ鏡筒に装着するための雄ネジ部
８  他の関連部品を装着するための雌ネジ部
【図１】
2019086585.tif 000003
【図２】
2019086585.tif 000004